(57)【要約】【課題】誘導加熱調理器の本体内に組み込まれる誘導加熱コイルの上面を効率よく冷却する。【解決手段】トッププレート２下方の本体１内上部に、内側コイル１０ａと外側コイル１０ｂに分割された誘導加熱コイル１０と樹脂製のコイルベース１１とからなる誘導加熱コイルユニット１２を配置し、該誘導加熱コイルユニット１２の上面に隙間を保持して帯電防止板１８を配置し、本体１の内部に冷却空気を供給するファン装置１４を備えた誘導加熱調理器において、誘導加熱コイル１０の内側コイル１０ａと外側コイル１０ｂとの間のコイルベース１１に帯電防止板保持ピン１１ｆを設け、該帯電防止板保持ピン１１ｆの先端を誘導加熱コイル１０の上面より上に突出させ、帯電防止板保持ピン１１ｆに帯電防止板１８を載置し、該帯電防止板１８と誘導加熱コイル１０の下面との隙間１９にファン装置１４からの冷却風を送風する。【選択図】  図３
2011014417.tif 000002
【特許請求の範囲】
【請求項１】
本体の上面にトッププレートを配置し、
該トッププレート下方の本体内上部に、内側コイルと外側コイルに分割された誘導加熱コイルと該誘導加熱コイルを載置する樹脂製のコイルベースとからなる誘導加熱コイルユニットを配置し、
該誘導加熱コイルユニットの上面に隙間を保持して前記誘導加熱コイルの外径寸法より大きい外径寸法の帯電防止板を配置し、
前記本体の内部に前記誘導加熱コイルユニットに冷却空気を供給するファン装置を備えた誘導加熱調理器において、
前記誘導加熱コイルの内側コイルと外側コイルとの間の前記コイルベースに帯電防止板保持ピンを設け、該帯電防止板保持ピンの先端を前記誘導加熱コイルの上面より上に突出させ、前記帯電防止板保持ピンに前記帯電防止板を載置し、該帯電防止板と前記誘導加熱コイルの下面との隙間に前記ファン装置からの冷却風を送風することを特徴とする誘導加熱調理器。
【請求項２】
前記帯電防止板保持ピンを、略円錐形に成形し、該円錐形の先端に帯電防止板を載置することを特徴とする請求項１記載の誘導加熱調理器。
【発明の詳細な説明】
【技術分野】
【０００１】
本発明は、誘導加熱調理器の本体内に組み込まれる誘導加熱コイルの帯電防止板保持構造に関するものである。
【背景技術】
【０００２】
誘導加熱調理器は、誘導加熱コイルに高周波電流を流すことによって磁力線を作り、該磁力線によって誘導加熱コイルの上方に配置される調理鍋に渦電流を生じさせ、その時に発生するジュール熱を利用して調理鍋自体を発熱させるものである。
【０００３】
前記誘導加熱調理器は、調理鍋が鉄鍋のように高透磁率の材質のものでは誘導加熱コイルの入力抵抗が大きく、ジュール熱の発生も多く、高い熱効率で調理鍋の加熱を行うことが可能である。
【０００４】
しかし、調理鍋の材質がアルミニウム鍋のように低透磁率の材質のものでは、誘導加熱コイルの入力抵抗が小さいため、加熱効率が極めて低く、このため、誘導加熱コイルのコイル導線の巻数を多くして入力抵抗を高め、加熱効率を高めることが行われている。しかし、一方で、誘導加熱コイルのコイル導線の巻数が多くなると、調理鍋への漏れ磁束が多くなり、その鍋に使用者が触れると危険である。
【０００５】
そこで、特許文献１に記載されているように、誘導加熱コイルと、調理鍋を載置するトッププレートとの間に、静電シールド体を配置し、該静電シールド体から導出されるリード線の一端をインバータ回路の低電部位に接続し、誘導加熱コイルから調理鍋側への漏れ磁束を静電シールド体によって遮蔽し、使用者が調理鍋に触れても安全なようにしている。
【０００６】
前記静電シールド体は、マイカ板等よりなる上下一対の絶縁板と該絶縁板の間に塗布された導電塗膜とで構成されており、その外径を誘導加熱コイルの外径より大きく設定し、該誘導加熱コイルの上面全体を覆うように配置されている。
【０００７】
特許文献２には、遮蔽板（前記静電シールド体と同じ）の具体的取り付け構造が示されており、該取り付け構造は、樹脂製からなる基台と、該基台の上面に載置される加熱コイルと、該加熱コイルを上面から押さえて基台に固定するコイル押さえとで構成されており、コイル押さえには外周から中心方向に向けて等間隔に複数本の押さえ爪を設け、該押さえ爪上に遮蔽板を載置している。
【０００８】
前記押さえ爪上に遮蔽板を載置する理由は、加熱コイルを長い間使用していると、該加熱コイルや調理鍋からの熱によって遮蔽板が膨張し、該遮蔽板の中央付近が重さで下に垂れ下がるように変形し、加熱コイルの上面に接触して該加熱コイルが温度上昇するのを防止するためであり、さらに、押さえ爪によって隙間を確保することにより、該隙間に送風装置からの冷却風を送風して加熱コイルの上面を冷却するためである。
【先行技術文献】
【特許文献】
【０００９】
【特許文献１】特開２００８−１０８７４６号公報
【特許文献２】特開２００４−１７１９２６号公報
【発明の概要】
【発明が解決しようとする課題】
【００１０】
上記従来技術において、特許文献１に記載されたものは、誘導加熱コイルベースの上面外周に取り付け具を介して静電シールド体を固定しているだけであるため、加熱コイルや調理鍋からの熱によって静電シールド体が膨張し、該静電シールド体の中央付近が下に垂れ下がるように変形し、加熱コイルの上面に接触して該加熱コイルが温度上昇し、加熱効率が低下する欠点があり、また、加熱コイルと静電シールド体との隙間がなくなることによって、加熱コイルの上面に送風装置からの冷却風を送風して該上面を冷却することができないという欠点がある。
【００１１】
また、特許文献２に記載されたものは、加熱コイルを基台に固定するコイル押さえに外周から中心方向に向けて等間隔に複数本の押さえ爪を設け、該押さえ爪上に遮蔽板を載置しているため、加熱コイルの上面と遮蔽板との隙間は、押さえ爪によって区画され、送風装置から送られた冷却風は、その区画された隙間から基台外周に設けた通風穴を通して外方に排出されるため、加熱コイルの上面全体に冷却風が送風されず、特に、前記通風穴のない区画された隙間では冷却風が淀んでしまい、加熱コイルの上面を効率よく冷却できないという欠点がある。
【００１２】
そこで、本発明は、上記した従来の課題を解決するものである。
【課題を解決するための手段】
【００１３】
本発明の請求項１では、本体の上面にトッププレートを配置し、該トッププレート下方の本体内上部に、内側コイルと外側コイルに分割された誘導加熱コイルと該誘導加熱コイルを載置する樹脂製のコイルベースとからなる誘導加熱コイルユニットを配置し、該誘導加熱コイルユニットの上面に隙間を保持して前記誘導加熱コイルの外径寸法より大きい外径寸法の帯電防止板を配置し、前記本体の内部に前記誘導加熱コイルユニットに冷却空気を供給するファン装置を備えた誘導加熱調理器において、
前記誘導加熱コイルの内側コイルと外側コイルとの間の前記コイルベースに帯電防止板保持ピンを設け、該帯電防止板保持ピンの先端を前記誘導加熱コイルの上面より上に突出させ、前記帯電防止板保持ピンに前記帯電防止板を載置し、該帯電防止板と前記誘導加熱コイルの下面との隙間に前記ファン装置からの冷却風を送風するものである。
【００１４】
請求項２では、前記帯電防止板保持ピンを、略円錐形に成形し、該円錐形の先端に帯電防止板を載置するものである。
【発明の効果】
【００１５】
本発明の請求項１によれば、誘導加熱コイルの内側コイルと外側コイルとの間のコイルベースに誘導加熱コイルの上面より上に突出するように帯電防止板保持ピンを設け、該帯電防止板保持ピンの先端に帯電防止板を載置したので、該帯電防止板は誘導加熱コイルや調理鍋からの熱によって膨張し、中央付近が下に垂れ下がるように変形しようとしても、帯電防止板保持ピンによって支えられ、帯電防止板と誘導加熱コイルの下面全体の隙間が変化することがなく、該隙間にファン装置からの冷却風を送風して誘導加熱コイルの全面を冷却することができ、加熱効率を低下させることがない。
【００１６】
また、帯電防止板保持ピンはコイルベースと一体に成形できるので、コイルベースの形状を大幅に変更したり、部品を追加する必要がなく、該構成によって誘導加熱コイルの上面を十分に冷却することができる。
【００１７】
請求項２によれば、帯電防止板保持ピンを略円錐形に成形したので、帯電防止板が載置されても強度的に強く、長く帯電防止板と誘導加熱コイルの隙間を保持し、該隙間に冷却風を流して誘導加熱コイルの上面を冷却することができる。
【図面の簡単な説明】
【００１８】
【図１】本発明の誘導加熱調理器の左側の帯電防止板を取り外し、トッププレートを分解した状態の斜視図である。
【図２】図１をＡ−Ａ線で切断した状態の断断面図である。
【図３】本発明の誘導加熱コイルユニットの斜視図である。
【図４】図３の誘導加熱コイルユニットを略半分に破断した状態の斜視図である。
【図５】図３をＢ−Ｂ線で切断した状態の断面図である。
【発明を実施するための形態】
【００１９】
以下、本発明の実施例を図１から図５を参照して説明する。
【００２０】
図において、１は誘導加熱調理器の本体である。２は耐熱ガラスからなるトッププレートで、本体１の上面に配置されている。該トッププレート２の前面側左右と後面側中央には、調理鍋等の被加熱物を載置する位置を表示する載置部３ａが描かれており、前面には主に後述する誘導加熱コイルの設定，制御を行う上面操作部３ｂが配置されている。
【００２１】
本体１は、トッププレート２が配置された状態で、専用の載置台の上に載置されたり、システムキッチンに組み込まれて使用される。
【００２２】
４は吸気口、５は排気口で、トッププレート２の後部左側と右側に並んで開口しており、本体１の後部上面に開口した本体吸気口６，本体排気口７に連通している。
【００２３】
８は本体１の前面左側に設けられたグリル加熱部で、中で魚や肉，グラタン等を焼くものである。９は本体１の前面右側に設けられた前面操作部で、主にグリル加熱部８の設定，制御を行うものである。
【００２４】
１０は誘導加熱コイルで、表面に熱融層を被覆した導線を内側コイル１０ａ，と外側コイル１０ｂ，両者の間に形成される空間部１０ｃからなる二分割コイルとなるように円盤状に巻回し、熱融着層を熱融着して導線同志を一体化し、該一体化された導線を樹脂製のコイルベース１１の上に載置し、両者を接着材で固定して誘導加熱コイルユニット１２を構成している。
【００２５】
誘導加熱コイル１０を内側コイル１０ａと外側コイル１０ｂに二分割し、両者の間に空間部１０ｃを設ける理由は、一体巻きコイルに成形した場合に、内側コイル部と外側コイル部の中間部の磁束密度が強く、内側と外側の磁束密度が弱くなり、調理鍋を加熱した場合に加熱ムラを生じるという問題を解消するためであり、そのために、上記したように、内側コイル１０ａと外側コイル１０ｂとの間に空間部１０ｃを設けることで全体の磁束密度を平均化している。
【００２６】
誘導加熱コイルユニット１２は、トッププレート２の載置部３ａの下面に位置するように本体１内の前面側左右と後部中央の上部に配置され、その上面には後述する帯電防止板１８（上記した静電シールド体，遮蔽板に相当）が配置されている。
【００２７】
従って、前面側左の誘導加熱コイルユニット１２の下面には前記したグリル加熱部８が配置され、前面側右の下面には、図２に示すように誘導加熱コイルユニット１２及びグリル加熱部８の制御を司る制御基板１３が設けられ、該制御基板１３の後部側には本体吸気口６を通して吸気口４に連なるようにファン装置１４が配置されている。
【００２８】
ファン装置１４から送風される冷却風は、一部が制御基板１３を冷却したのち風路１５を通って前面側右の誘導加熱コイルユニット１２を冷却し、他の一部は別の風路（図示せず）を通って前面側左の誘導加熱コイルユニット１２を冷却し、本体排気口７を通して排気口５から本体１の後部上面に排出される。なお、ファン装置１４から送風される冷却風の風路については、上記の風路に限定されるものではない。
【００２９】
次に、誘導加熱コイルユニット１２と帯電防止板１８の詳細を図３，図４及び図５を参照して説明する。
【００３０】
誘導加熱コイル１０を載置するコイルベース１１は、内周部１１ａと、誘導加熱コイル１０の外径寸法より大きい外径寸法の外周部１１ｂ及び内周部１１ａと外周部１１ｂを連結する複数本の放射状のリブ１１ｃとで構成されており、外周部１１ｂの外径は誘導加熱コイル１０の外径より若干大きく形成されている。
【００３１】
複数のリブ１１ｃの下面には図示しないが、誘導加熱コイル１０からコイルベース１１の下面に磁束が洩れるのを抑制するためのフェライトが取り付けられている。
【００３２】
また、１１ｄは、コイルベース１１の外周部１１ｂに一体に設けられた傾斜案内部で、外周部１１ｂの下面から上面に向けて上向きに傾斜しており、ファン装置１４からコイルベース１１の下面に流入した冷却空気で誘導加熱コイル１０の下面を冷却した後の空気を傾斜面に沿って上方に案内し、本体排気口７を通して排気口５に排出する。
【００３３】
１１ｅはシールドリング保持溝で、コイルベース１１の外周部１１ｄの外側に樹脂製のコイルベース１１と一体に設けられ、該シールドリング保持溝１１ｅには環状のシールドリング１６が載置されている。
【００３４】
シールドリング保持溝１１ｅは、コイルベース１１の外周部１１ｄの全周にわたって設ける必要はなく、複数箇所に設けるだけでよい。また、シールドリング１６は、誘導加熱コイル５から周囲に洩れる磁束を抑制するもので、アルミ材が用いられる。
【００３５】
シールドリング１６とコイルベース１１の傾斜案内部との間には冷却後の空気が排出される排気出口１７が保持されている。
【００３６】
１１ｆは帯電防止板保持ピンで、誘導加熱コイル１０の空間部１０ｃに位置したコイルベース１１に周方向に沿って略等間隔に複数個（図では３個）設けられ、先端部を誘導加熱コイル１０の上面より上に突出させている。
【００３７】
また、前記帯電防止板保持ピン１１ｆは、下部が太く、上部が順次細くなる略円錐形となるように樹脂製のコイルベース１１と一体に成形することで、全体の強度を確保し、先端部に帯電防止板１８を載置している。
【００３８】
帯電防止板１８は、その外径を誘導加熱コイル１０の外径より大きく設定し、外側下面をコイルベース１１の外周部１１ｂに周方向に沿って等間隔に複数個突設したベース載置部１１ｇと、前記空間部１０ｃの帯電防止板保持ピン１１ｆに載置されることにより誘導加熱コイル１０の上面との間に一定の隙間１９を保持し、後述するように隙間１９にファン装置１４から送風される冷却風を送風して誘導加熱コイル１０の上面を冷却するようにしている。なお、ベース載置部１１ｇは前記の構造に限定されるものではなく、帯電防止板１８の外側下面を載置する構造であればよい。
【００３９】
また、帯電防止板１８は、マイカ板等よりなる上下一対の絶縁板と該絶縁板の間に塗布された導電塗膜とで構成されており、平面部や周囲に膨張・収縮を吸収するスリット１８ａや各種部品の逃げ穴１８ｂ等を設け、図示しないが、一部からリード線を導出して制御基板１３の低電部位に接続し、誘導加熱コイル１０から調理鍋側への漏れ磁束を遮蔽し、使用者が調理鍋に触れても安全なようにしている。
【００４０】
以上の構成において、その動作を説明する。
【００４１】
使用者が調理鍋をトッププレート２の載置部３ａ（本実施例では前面側右の載置部）上に載置し、上面操作部３ｂを操作して調理を開始する。
【００４２】
これによって、制御基板１３は誘導加熱コイル１０に制御信号を出力する。この制御信号により誘導加熱コイル１０は内部に高周波電流が流れて磁力線を作り、該磁力線によって誘導加熱コイル１０の上方に配置される調理鍋に渦電流を生じさせ、その時に発生するジュール熱を利用して調理鍋自体を発熱させる。
【００４３】
このとき、誘導加熱コイル１０からは、トッププレート２を通して調理鍋への漏れ磁束が発生するが、調理鍋を載置するトッププレート２との間には帯電防止板１８が配置されているため、誘導加熱コイル１０から調理鍋側への漏れ磁束は帯電防止板１８によって遮蔽され、使用者が調理鍋に触れても感電することはなく、安全である。
【００４４】
一方前記したように、調理が開始されると同時に制御基板１３はファン装置１４にも制御信号を出力し、この制御信号によってファン装置１４は駆動され、トッププレート２の吸気口４，本体１の本体吸気口６を通して本体１内に外気を吸い込み制御基板１３を冷却する。
【００４５】
その後、冷却風は、風路１５を通って誘導加熱コイルユニット１２の下面に流出し、誘導加熱コイル１０の下面に吹き付けられて該誘導加熱コイル１０の下面を冷却する。そして、冷却後の一部の空気は、図５の矢印イに示すようにコイルベース１１の傾斜案内部１１ｄに沿って上方に流れ、その流れの過程で傾斜案内部１１ｄの外側に配置されたシールドリング１６を冷却し、該シールドリング１６と傾斜案内部１１ｄとの間の排気出口１７から上方に排出される。そして、排出された空気は本体排気口７，トッププレート２の排気口５から本体１の上面に排出される。
【００４６】
また、他の一部の空気は、図５の矢印ロに示すように、コイルベース１１の内周部１１ａに設けられた隙間と、誘導加熱コイルユニット１２の内側コイル１０ａと外側コイル１０ｂとの間の空間部１０ｃの放射状のリブ１１ｃ間の間隙を通して誘導加熱コイル１０の上面と帯電防止板１８との隙間１９に流れ込み誘導加熱コイル１０の上面を冷却する。
【００４７】
そして、冷却後の排気は、本体排気口７を通して排気口５から本体１の後部上面に排出される。
【００４８】
これによって、誘導加熱コイル１０は、冷却風によって十分に冷却され、加熱効率が低下することがない。
【００４９】
また、このとき、帯電防止板１８は、誘導加熱コイル１０や調理鍋からの熱によって膨張し、中央付近が下に垂れ下がるように変形しようとしても、帯電防止板保持ピン１１ｆによって支えられ、帯電防止板１８と誘導加熱コイル１０の下面全体の隙間１９は変化することがなく、該隙間１９にファン装置１４からの冷却風を送風して誘導加熱コイル１０の全面を冷却することができる。
【００５０】
さらに、帯電防止板１８は、誘導加熱コイル１０から調理鍋側への漏れ磁束を遮蔽するので、使用者が調理鍋に触れても感電することがなく、安全である。
【００５１】
なお、本実施例では、トッププレート２の前面側右の載置部３ａに対応した誘導加熱コイル１０の冷却について説明したが、トッププレート２の前面側左の載置部３ａに対応した誘導加熱コイル１０の冷却についても上記の説明と同様である。
【００５２】
以上で説明したように、本実施例によれば、誘導加熱コイル１０の内側コイル１０ａと外側コイル１０ｂとの間のコイルベース１１に誘導加熱コイル１０の上面より上に突出するように帯電防止板保持ピン１１ｆを設け、該帯電防止板保持ピン１１ｆの先端に帯電防止板１８を載置したので、該帯電防止板１８は誘導加熱コイル１０や調理鍋からの熱によって膨張し、中央付近が下に垂れ下がるように変形しようとしても、帯電防止板保持ピン１１ｆによって支えられ、帯電防止板１８と誘導加熱コイル１０の下面全体の隙間１９が変化することがなく、該隙間にファン装置１４からの冷却風を送風して誘導加熱コイル１０の全面を均等に冷却することができ、加熱効率を低下させることがない。
【００５３】
また、帯電防止板保持ピン１１ｆはコイルベース１１と一体に成形できるので、コイルベース１１の形状を大幅に変更したり、部品を追加する必要がなく、該構成によって誘導加熱コイル１０の上面を十分に冷却することができる。
【００５４】
また、帯電防止板保持ピン１１ｆを略円錐形に成形したので、帯電防止板１８が載置されても強度的に強く、長く帯電防止板１８と誘導加熱コイル１０の隙間を保持し、該隙間に冷却風を流して誘導加熱コイル１０の上面を冷却することができる。
【符号の説明】
【００５５】
１  本体
２  トッププレート
４  吸気口
５  排気口
１０  誘導加熱コイル
１１  コイルベース
１１ｄ  傾斜案内部
１１ｆ  帯電防止板保持ピン
１２  誘導加熱コイルユニット
１８  帯電防止板
１９  隙間
【図１】
2011014417.tif 000003
【図２】
2011014417.tif 000004
【図３】
2011014417.tif 000005
【図４】
2011014417.tif 000006
【図５】
2011014417.tif 000007